(57)【要約】      （修正有）【課題】地震などの有事に際して、建築落下物や倒壊物などから使用者の身体を確実に保護できるのは勿論、通常使用時には快適さを損ねることのないベッドの提供。【解決手段】寝台４の前後にそれぞれ配置する軸部と、前記各軸部を支点として回動する覆い体１とから構成し、前記覆い体１は、回動して寝台の上位置にある場合に該寝台の上側を覆う防護部２ａ,２ｂ,２ｃ,３ａ,３ｂ,３ｃと、この防護部を寝台との間に使用者Ｈの入ることができる程度の間隔Ｐをあけた位置で各軸部において支持する支持部材８とを備え、前記寝台は、使用者の横になるスペース以外の箇所に、前記覆い体の回動時に防護部及び支持部材８を寝台の内外に通過させる出入口Ｒを配し、この出入口を通過した覆い体が寝台の下位置にある場合に該寝台内に格納する空間Ｓを有する。【選択図】      図１
2007097901.tif 000002
【特許請求の範囲】
【請求項１】
使用者（Ｈ）が横になる寝台（４）と、該寝台（４）の前後にそれぞれ配置する各軸部（Ｌ,Ｌ）と、当該各軸部（Ｌ,Ｌ）間に架設し且つ前記各軸部（Ｌ,Ｌ）を支点として自在に回動する覆い体（１）とから構成し、
前記覆い体（１）は、回動して寝台（４）の上位置にある場合に該寝台（４）の上側を覆う防護部（２ａ,２ｂ,２ｃ,３ａ,３ｂ,３ｃ）と、この防護部（２ａ,２ｂ,２ｃ,３ａ,３ｂ,３ｃ）を寝台（４）との間に少なくとも使用者（Ｈ）の入ることができる程度の間隔（Ｐ）をあけた位置で各軸部（Ｌ,Ｌ）において支持する支持部材（８）とを備えており、
前記寝台（４）は、使用者（Ｈ）が横になるスペース以外の箇所に、前記覆い体（１）の回動時に防護部（２ａ,２ｂ,２ｃ,３ａ,３ｂ,３ｃ）及び支持部材（８）を寝台（４）の内外に通過させる出入口（Ｒ）を配してあるとともに、この出入口（Ｒ）を通過した覆い体（１）が寝台（４）の下位置にある場合に該寝台（４）内に格納する空間（Ｓ）を有していることを特徴とするベッド。
【発明の詳細な説明】
【技術分野】
【０００１】
本発明は災害、特に地震による建築落下物や倒壊物から使用者を保護する手段を具備したベッドに関するものである。
【背景技術】
【０００２】
一般に夜間から明け方にかけて発生した地震時に際しては、被害者全体の９割近くの人々が就寝中に死亡しているとの報告があり、近い将来、大規模な地震が日本の各地において高い確率で発生するとの予測がなされていることから、地震発生に伴う建築落下物や倒壊物などから人々を守る災害保護手段を施したベッドが種々発表されている。
【０００３】
また現在発表されているベッドの構成は例えば、ベッド全体に籠のような覆い体を取り付けたものや（特許文献１および特許文献３参照）、あるいは、ベッド上部に予め設けられたガイドレールに沿って防護パネルが牽引手段で移動し、この防護パネルがベッドの上で横になった使用者の上側を遮るように形成したもの等があり、これらのほとんどは、地震落下物や倒壊物から使用者を守る何らかの災害保護手段を有している。
【特許文献１】特開平９−１７３１８２号公報
【特許文献２】特開２００１−２９１７６号公報
【特許文献３】特開２００１−１０４１１１号公報
【発明の開示】
【発明が解決しようとする課題】
【０００４】
しかしながらこの種のベッドは、平常時つまりは待機状態にある災害保護手段がベッドから常に露出しているため、使用者に無用な圧迫感を与え、このことから、有事には効果を発揮するものの、ベッド使用の大部分を占める平常時において、就寝して身体を休めるというベッド本来の機能を損ねてしまう欠点があった。
【０００５】
本発明は上記課題を鑑みてなされたものであり、地震などの有事に際して、建築落下物や倒壊物などから使用者の身体を確実に保護できるのは勿論、平常時にはベッド本来の快適さを損ねることのないベッドを提供することを目的としている。
【課題を解決するための手段】
【０００６】
本発明は、使用者が横になる寝台と、該寝台の前後にそれぞれ配置する軸部と、当該各軸部間に架設し且つ前記各軸部を支点として自在に回動する覆い体とから構成し、前記覆い体は、回動して寝台の上位置にある場合に該寝台の上側を覆う防護部と、この防護部を寝台との間に少なくとも使用者の入ることができる程度の間隔をあけた位置で各軸部において支持する支持部材とを備えており、前記寝台は、使用者の横になるスペース以外の箇所に、前記覆い体の回動時に防護部及び支持部材を寝台の内外に通過させる出入口を配してあるとともに、この出入口を通過した覆い体が寝台の下位置にある場合に該寝台内に格納する空間を有していることを特徴とする。
【０００７】
ここで寝台とはベッド本体を指し、使用者が横になって身体を休められるものの全般を意味している。また覆い部は、寝台の上部を覆うことができるものであれば特に限定するものではなく、例えば鋼材で形成されたフレームやパネルなどが適用される。また出入口を配する箇所は、使用者が横になるスペースを確保できる箇所とあるが、具体的には寝台において横になった使用者の手足等の身体の一部が届かない箇所であり、例えば寝台の周縁などに配することが挙げられる。さらに前記出入口の配置位置にあわせて、覆い体の支持部材や防護部なども寝台に接触しないように組み立てている。また出入口を設ける箇所については、例えば寝台上面周縁の四方すべてに連続して設けたのでは、該寝台においてベッド用マット類を支持できなくなることから、コ字型に配置して出入口のない側からベッド用マット類を支持し、覆い体を一方向側のみから上げ下げ可能としたり、あるいは各軸部間に各々吊下げ具を介して底板を架け渡し、その底板の上にベッド用マット類を載せるなどといった手法がとられる。また寝台下部の覆い体を格納する空間については、かならずしも該覆い体のすべてを格納できるほどの広さを要するものではなく、例えば覆い体の引き上げ部位（持手など）のみを寝台の外に露出し、その他の部分を格納できる程度の広さであってもよい。
【０００８】
以上のように本発明のベッドを形成すると、使用者が寝台の上で横になった姿勢から覆い体の一部を掴んで引き上げることにより、この覆い体の防護部や支持部材などが使用者の身体に接触することなく、寝台に配された出入口を介して各軸体を中心に該寝台内から外および上方へ回動し、最終的に覆い体の防護部が使用者の上側を覆うこととなる。また地震の揺れなどが収まれば、上側を覆う覆い体の一部を使用者が掴んで引き下げることで、該覆い体が軸体を中心に下方へ回動し、寝台内の空間に再び格納される。
【発明の効果】
【０００９】
本発明によれば、通常使用時は覆い体が寝台内に格納されており、例えば地震などの有事にのみ、前記覆い体が寝台から露出して使用者の上方を遮るように形成してあることで、ベッドの通常使用時は覆い体による無用な圧迫感を感じることなく、一般的なベッドと同様に快適な使用感を得られる。
【発明を実施するための最良の形態】
【００１０】
以下、本発明のベッドの具体的な実施形態について各図面に基づいて説明する。
尚、本実施形態では説明の便宜上、その方向の定義づけについては、使用者Ｈが寝台４の上に寝た状態を基準として頭部Ｔが置かれる側を前とし、また爪先側Ｆを後とするものである。
【００１１】
まず本ベッドの全体の構成を簡単に説明すると図１（ａ）（ｂ）と図２に示すように、寝台４と、覆い体１と、この覆い体１を回動可能に寝台４の前後から支持する軸部Ｌ,Ｌとからなっている。
【００１２】
寝台４は、マット１２と、このマット１２の四方を囲むように配置されたベッド枠１６とからなっており、前記ベッド枠１６の前後には前記マット１２から上方に突出した起立壁５ａ,５ｂをそれぞれ配置している。またベッド枠１６により囲まれた空間Ｓは、通常使用時の覆い体１を前記寝台４内に格納することができる。
【００１３】
覆い体１は図１（ａ）（ｂ）のように、棒状の鋼材を上向きの半円弧状に曲げ加工して形成した半円弧状フレーム２ａ,２ｂ,２ｃと直線状の横フレーム３ａ,３ｂ,３ｃとを格子状に組み合わせて構成しており、当該各半円弧状フレーム２ａ,２ｂ,２ｃは、寝台４における使用者Ｈの頭部Ｔ側から爪先Ｆ側に亘る５箇所に間隔をあけて配置してあり、また横フレーム３ａ,３ａ,３ｃは、前記各半円弧状フレーム２ａ,２ｂ,２ｃに対して、当該各半円弧状フレーム２ａ,２ｂ,２ｃの両端側及び中間の各５箇所にそれぞれ間隔をあけて溶接してある。さらに前記覆い体１は、寝台４の前後の各起立壁５ａ,５ｂにおいてそれぞれアーム７ａ,７ｂに支持してあり、当該各アーム７ａ,７ｂには、各半円弧状フレーム２ａ,２ｂ,２ｃのうちの前後に配置された各半円弧状フレーム２ａ,２ｂとの間に計６本の各梁８を介在しており、これにより各半円弧状フレーム２ａ,２ｂと寝台４との間に、前記梁８の形成範囲と同一の間隔Ｐがとられ、この間隔Ｐにより、覆い体１が寝台４内の空間Ｓから上方に向けて回動した際、寝台４との間に使用者Ｈの入りこむ空間を確保しつつ、該寝台４の上側を覆うことができる。また各横フレーム３ａ,３ｂ,３ｃのうちの最も手前側の横フレーム３ａには、略コ字型をなす持手９を有しており、この持手９により使用者Ｈが横になった姿勢から覆い体１の回動を行える。
尚、半円弧状フレーム２ａ,２ｂ,２ｃおよび横フレーム３ａ,３ｂ,３ｃの適用本数、フレーム径あるいは材質については特に限定するものではなく、寝台４の大きさや、あるいは覆い体１の強度の設定等により適宜変更するものである。
【００１４】
軸部Ｌは図２のように、全体が楕円形状をなすアーム７ａ,７ｂの長手方向の一側にボールベアリング１１ａ,１１ｂを収容してなるもので、このボールベアリング１１ａ,１１ｂには、寝台４の起立壁５ａ,５ｂから水平に突出する軸棒２０を挿通し、前記アーム７ａ,７ｂを回転可能に軸支している。一方、このアーム７ａ,７ｂの長手方向の他側には、前述した覆い体１を支持する各梁８の基端側のすべてを固着し、ボールベアリング１１ａ,１１ｂを中心として前後の各半円弧状フレーム２ａ,２ｂとの間に前記各梁８を放射状に配置しており、これにより覆い体１と寝台４との間に使用者Ｈの入りこむスペースを確保しつつ、該覆い体１の寝台４の軸部Ｌ,Ｌを基点とした回動がなされるようになる。
尚、図２では寝台４後側の軸部Ｌのみを図示しているが、本文中では前記寝台４前側の軸部Ｌについても併せて説明するものである。
【００１５】
寝台４におけるマット１２の支持構造は図４のように、この寝台４における覆い体１の引き上げ側とは反対の側（図４中では寝台４の左側）のベッド枠１６ａに取り付けたホルダー６を用いている。このホルダー６は、寝台４のベッド枠１６ａの上部に係合する保持片１９と、この保持片１９から連続し且つマット１２の厚みと略一致した落込み部分ｇおよび該マット１２の下端面と略一致した水平部分ｕを有する断面Ｌ字型をなす保持片１９とからなっており、覆い体１の回転を妨げることなく、マット１２を寝台４に支持することができる。
ここで、寝台４にマット１２を支持する手段については上述したものに限るものではなく、例えば、各軸部Ｌ,Ｌの構成部材（アーム７ａ,７ｂ、ボールベアリング１１ａ,１１ｂ）のいずれかにマット１２の前後端部を吊り下げる吊下げ具を備えるとともに、当該各吊下げ具間に底板を架け渡すもの等、覆い体１の回動を妨げずに寝台４にマット１２を支持できるものであればよい。
【００１６】
また前記寝台４は図３のように、マット１２との間の三方に亘ってコ字型に連続するスリットＲを配している。覆い体１がこのスリットＲを通過することで、該覆い体１の寝台４の各軸部Ｌ,Ｌからの回動時、該覆い体１を上方に回動して寝台４下部の空間Ｓから寝台４の上側に、または寝台４の上側にある覆い体１を下方に回動して寝台４下部の空間Ｓに再び収納できる。そして上記の構成について更に具体的に説明すると、前記スリットＲの前後各箇所には覆い体１の梁８が通過する一方、スリットＲの長手側の箇所には覆い体１を形成するすべての半円弧状フレーム２ａ,２ｂ,２ｃと横フレーム３ａ,３ｂ,３ｃが通過することになる。従ってスリットＲにより、マット１２が覆い体１の回動を妨げることなく、該覆い体１を寝台４下部の空間Ｓから寝台４上側へ、また寝台４上側から寝台４下部の空間Ｓへ、使用者Ｈの操作によって自在に回動できるようになる。
【００１７】
また本ベッドは、覆い体１のそれ以上の回動を規制するストッパー１７を有しており、このストッパーは図４のように、覆い体１における持手９を有しない側の横フレーム３ｂにおいて、該覆い体１の外方に張り出した片状をなす部材である。このストッパー１７は、使用者Ｈが持手９を引き上げて覆い体１を回動させた際、それ以上の覆い体１の回動を規制して寝台４の上部側を覆う位置に留まらせる。さらに、寝台４におけるストッパー１７の当接箇所にはクッション材１８を備えている。このクッション材１８については、地震などの有事の際には切迫した状況下であることから、使用者Ｈが覆い体１を力の限りに引き上げることを想定して備えられるもので、覆い体１の回動時、このクッション材１８にストッパー１７が当たった際の強い衝撃を吸収し、覆い体１の回動停止時に使用者Ｈの腕に加わる反動を大幅に低減することを目的としている。
【００１８】
次に、本発明のベッドの地震発生時における使用手順の一例を、図５（ａ）（ｂ）（ｃ）に基づいて以下に説明する。
まず使用者Ｈが就寝時に揺れを感じた際に図５（ａ）のように、寝台４下部の空間Ｓに収められて待機状態にある覆い体１の持手９を掴む。次に図５（ｂ）のように、使用者Ｈが掴んだ持手９を引き上げることにより、覆い体１が寝台４のボールベアリング１１ａ,１１ｂを中心として回転し、さらに、使用者Ｈの掴む持手９の位置が寝台４の中央に位置するまで覆い体１を回動すると、それ以降は該覆い体１の重量により寝台４の左側まで移動する。そして前記覆い体１はストッパー１７が寝台４のクッション材１８に当接した段階で回動を停止し、最終的に図５（ｃ）のように、覆い体１が寝台４の上側全体つまりは使用者Ｈの頭上空間を覆う状態となり、従って、建築落下物や倒壊物などから使用者Ｈを防護する。また地震の揺れが収まったら、使用者Ｈの上側に位置する覆い体１の持手９を掴み、前記覆い体１を引き上げ始めた側へ回動することで元位置（寝台４内の空間Ｓ）に戻されて格納される。
【００１９】
図６（ａ）（ｂ）は、本発明のベッドの他の実施形態であり、このベッドの覆い体１は、1本の梁８で軸部Ｌ，Ｌから支持されている。これにより覆い体１の回動時に梁８は、マット１２の上方側のみを回動し、寝台４からのマット１２の支持部分を広くとれる構成となる。そして図７（ａ）（ｂ）（ｃ）は、本実施形態のベッドの使用状態を示すものであり、実際に覆い体１を使用者Ｈが寝台４上で回動した場合でも、寝台４におけるマット１２の支持部分への前記覆い体１の干渉がなされないのがわかる。
尚、覆い体１の半円弧状フレーム２ａ，２ｃの持手９側の彎曲部１９は、覆い体１の閉塞時に使用者Ｈの手の挟み込みを防ぐためのものである。
【図面の簡単な説明】
【００２０】
【図１（ａ）（ｂ）】それぞれ本発明のベッドの使用時の状態を示す斜視図であり、（ａ）は、有事に際して覆い体が使用者の上側を覆う状態を示す図であり、（ｂ）は、通常使用時において覆い体が寝台内に納められた状態を示す図である。
【図２】覆い体の軸部の周辺を拡大して示す斜視図である。
【図３】本発明のベッド（通常使用時）の平面図である。
【図４】図３のＡ−Ａ線縦断面図である。
【図５（ａ）（ｂ）（ｃ）】本発明のベッドの使用状態を手順を追って示す説明図である。
【図６（ａ）（ｂ）】本発明のベッドの他の実施形態を示す斜視図である。
【図７（ａ）（ｂ）（ｃ）】図６（ａ）（ｂ）のベッドの使用状態を手順を追って示す説明図である。
【符号の説明】
【００２１】
１  覆い体
２ａ,２ｂ,２ｃ  半円弧状フレーム（防護部）
３ａ,３ｂ,３ｃ  横フレーム（防護部）
４  寝台
８  梁（支持部材）
Ｈ  使用者
Ｌ  軸部
Ｐ  間隔
Ｒ  スリット（出入口）
Ｓ  空間
【図１（ａ）（ｂ）】
2007097901.tif 000003
【図２】
2007097901.tif 000004
【図３】
2007097901.tif 000005
【図４】
2007097901.tif 000006
【図５（ａ）（ｂ）（ｃ）】
2007097901.tif 000007
【図６（ａ）（ｂ）】
2007097901.tif 000008
【図７（ａ）（ｂ）（ｃ）】
2007097901.tif 000009
【手続補正書】
【提出日】平成17年10月17日(2005.10.17)
【手続補正１】
【補正対象書類名】図面
【補正対象項目名】図１
【補正方法】変更
【補正の内容】
【図１】
2007097901.tif 000010